(57)【要約】【課題】封筒の封緘をより一層確実なものにすること。【解決手段】封筒形成部８５の押付け板金動作部９６および加水機構部９９で水塗布パッド２２３により封筒用紙Ｐ２の再湿糊部Ｐ２１に水を塗布し、封緘部８６を過ぎた封筒用紙Ｐ２の再湿糊部Ｐ２１を封緘部８６の封緘ローラ対８８で挟持、圧着して、封書排出部９２に排出する前に、封筒搬送路４９の経路上の未封緘検出ユニット９０で封筒用紙Ｐ２飲み封緘状態を検出した場合に、封筒用紙Ｐ２の搬送を中断し、加水機構部９９の水塗布パッド２２３に水貯留容器２２１内の水２２２を含浸させる水含浸動作を行わせる。これにより、水塗布パッド２２３が封筒用紙Ｐ２の再湿糊部Ｐ２１に精度よく接触するように加水機構部９９を構成しても、水塗布パッド２２３に水貯留容器２２１内の水２２２が十分に含浸されていないために、封筒用紙Ｐ２が未封緘のまま封書排出部９２に排出され続けるのを防ぐ。【選択図】図１
2015074162.tif 000002
【特許請求の範囲】
【請求項１】
内容物が封入された封筒用紙の搬送経路上の加水部において、水を含浸させた水塗布パッドを前記封筒用紙の再湿糊部に接触させ、前記搬送経路上の前記加水部よりも下流側の封緘部において、前記封筒用紙の前記水塗布パッドにより水が塗布された前記再湿糊部を封緘し排出部に排出する封入封緘装置において、
前記封緘部と前記排出部との間の前記搬送経路上に配置され、前記封筒用紙の未封緘状態を検出する未封緘検出手段と、
前記未封緘検出手段が前記封筒用紙の未封緘状態を検出した場合に、前記水塗布パッドに水を含浸させる水含浸動作を前記加水部において実行させる制御手段と、
を備えることを特徴とする封入封緘装置。
【発明の詳細な説明】
【技術分野】
【０００１】
本発明は、封筒に内容物を封入し封緘した状態の封書を作成する封入封緘装置に関する。
【背景技術】
【０００２】
封筒に内容物を封入し封緘した状態の封書を作成する封入封緘装置では、画像形成装置で印刷した内容物用紙及び封筒用紙をそれぞれ折り畳む等して内容物及び封筒をそれぞれ形成し、内容物を封入した封筒用紙の再湿糊部に水を塗布して封筒用紙の端部を接着し封緘することで、封書を作成する。
【０００３】
このため、封筒用紙の再湿糊部に水を塗布する工程は、封筒の確実な封緘を実現する上で非常に重要であり、本出願人も、再湿糊部に水を塗布する工程が確実に行われるようにするための提案を、過去に行っている（例えば、特許文献１）。
【先行技術文献】
【特許文献】
【０００４】
【特許文献１】特開２０１２−２４０３１０号公報
【発明の概要】
【発明が解決しようとする課題】
【０００５】
本発明は、上述した従来の提案をさらに改良するもので、本発明の目的は、封筒の封緘をより一層確実なものにすることができる封入封緘装置を提供することにある。
【課題を解決するための手段】
【０００６】
上記目的を達成するため、請求項１に記載した本発明の封入封緘装置は、
内容物が封入された封筒用紙の搬送経路上の加水部において、水を含浸させた水塗布パッドを前記封筒用紙の再湿糊部に接触させ、前記搬送経路上の前記加水部よりも下流側の封緘部において、前記封筒用紙の前記水塗布パッドにより水が塗布された前記再湿糊部を封緘し排出部に排出する封入封緘装置において、
前記封緘部と前記排出部との間の前記搬送経路上に配置され、前記封筒用紙の未封緘状態を検出する未封緘検出手段と、
前記未封緘検出手段が前記封筒用紙の未封緘状態を検出した場合に、前記水塗布パッドに水を含浸させる水含浸動作を前記加水部において実行させる制御手段と、
を備えることを特徴とする。
【発明の効果】
【０００７】
本発明によれば、封筒の封緘をより一層確実なものにすることができる。
【０００８】
即ち、請求項１に記載した本発明の用紙排出装置によれば、水の塗布により接着機能を発揮する再湿糊部に対し、加水部の水塗布パッドによって水が十分に塗布されず、再湿糊部を封緘部で封緘した封筒用紙が未封緘状態で搬送経路上の未封緘検出手段に搬送されると、未封緘検出手段によってその封筒用紙が検出されて、水塗布パッドに対する水含浸動作が行われる。
【０００９】
このため、水塗布パッドを封筒用紙の再湿糊部に精度よく接触させても、水塗布パッドに水が十分に含浸されていないために、封筒用紙が未封緘のまま排出部に排出され続けるのを防ぎ、封筒の封緘をより一層確実なものにすることができる。
【図面の簡単な説明】
【００１０】
【図１】本発明の一実施形態に係る封入封緘装置の説明図である。
【図２】図１の封入封緘装置を含む画像形成システムの説明図である。
【図３】図１の封筒形成部の押付け板金動作部及び加水機構部を拡大して示す説明図である。
【図４】図１の封書用紙の展開図である。
【図５】図１の未封緘検出ユニットの説明図である。
【図６】図１の封入封緘装置の制御系の構成を示すブロック図である。
【図７】図６の封入封緘コントローラの制御に基づいた排紙動作処理を含む一連の処理の手順を示すフローチャートである。
【発明を実施するための形態】
【００１１】
＜封入封緘システムの構成＞
以下、本発明の実施形態について、図面を参照して説明する。なお、説明中において、「上流」とは、内容物用紙Ｐ１等の搬送方向から見て上流のことをいい、「下流」とは、内容部用紙等の搬送方法から見て下流のことをいい、図中において、「Ｌ」は、左方向、「Ｒ」は、右方向をそれぞれ指している。
【００１２】
図１に示す本実施形態の封入封緘装置５は、図２に示すように、画像形成装置３と共に使用されて封入封緘システム１を構成する。
【００１３】
＜画像形成装置の構成＞
画像形成装置３は、複数枚の内容物用紙Ｐ１及び封筒用紙Ｐ２に印刷を行う。封入封緘装置５は、印刷済みの複数枚の内容物用紙Ｐ１及び封筒用紙Ｐ２から内容物Ｂ及び封筒Ｅをそれぞれ形成し、内容物Ｂを封入した状態で封筒Ｅを封緘して、封書Ｍを作成する。
【００１４】
画像形成装置３は、筐体７内の内容物用紙給紙部１５の給紙トレイ１７から給紙ローラ１９により給紙搬送路２１の分岐部分２１ａに給紙され、さらに、レジストローラ３０及び搬送ベルト１４により印刷搬送路１３に給紙される内容物用紙Ｐ１に、印刷部９において、内容物画像データに基づいた印刷を行う。
【００１５】
また、画像形成装置３は、印刷部９において、封筒用紙給紙部２３の給紙トレイ２５から給紙ローラ２７により給紙搬送路２９に給紙され、さらに、レジストローラ３０及び搬送ベルト１４により印刷搬送路１３に給紙される封筒用紙Ｐ２に、封筒画像データに基づいた印刷を行う。
【００１６】
両面印刷の場合は、内容物用紙Ｐ１や封筒用紙Ｐ２が排紙トレイ３１内のスイッチバック搬送路３３で反転されて、レジストローラ３０及び搬送ベルト１４により印刷搬送路１３に再び給紙される。印刷部９における印刷には、Ｋ（ブラック）、Ｃ（シアン）、Ｍ（マゼンタ）、Ｙ（イエロー）の各色のインクを吐出する複数のライン型のインクヘッド１１Ａ，１１Ｂ，１１Ｃ，１１Ｄが用いられる。
【００１７】
上述した画像形成装置３での内容物用紙Ｐ１や封筒用紙Ｐ２への印刷は、筐体７の上部に設けられた操作パネル部３９からの入力情報等に基づいた、画像形成コントローラ３７の制御によって実行される。印刷後の内容物用紙Ｐ１や封筒用紙Ｐ２は、連絡搬送路３５を介して封入封緘装置５に受け渡される。
【００１８】
＜封入封緘装置の構成＞
封入封緘装置５は、画像形成装置３の連絡搬送路３５から受け渡された印刷済の内容物用紙Ｐ１及び封筒用紙Ｐ２を、筐体４１の導入搬送路４３に受け入れる。受け入れた内容物用紙Ｐ１は内容物用紙搬送路４５に、封筒用紙Ｐ２は封筒用紙搬送路４７に、それぞれ振り分けて搬送される。
【００１９】
内容物用紙搬送路４５に搬送された内容物用紙Ｐ１は、図１に示すように、整合部５１の整合ゲート（待機ゲート）５３で複数枚ずつ集積、整合され、内容物形成部５５において、折り曲げ箇所Ｐ１ａ，Ｐ１ｂで適宜折り曲げられて内容物Ｂとされる。折り曲げ後の内容物Ｂは、搬送ローラ７２によって封筒形成部８５に搬送される。
【００２０】
封筒用紙搬送路４７に搬送された封筒用紙Ｐ２は、前折り部７３において、折り曲げ箇所Ｐ２ａで適宜前折りされて、搬送ローラ７４，７６により封筒形成部８５に搬送される。搬送ローラ７４，７６は、後述する図３に示すように搬送モータＭ１の駆動により回転駆動する駆動ローラ７４ａ，７６ａと、駆動ローラ７４ａ，７６ａの回転駆動により回転する従動ローラ７４ｂ，７６ｂとの一対のローラとして構成されている。
【００２１】
折り曲げ箇所Ｐ２ａで適宜前折りされた封筒用紙Ｐ２には、搬送ローラ７４，７６により封筒形成部８５に搬送される際、搬送ローラ７２によって封筒形成部８５に搬送される内容物Ｂが、折り曲げ箇所Ｐ２ａに内側から挿入される。
【００２２】
折り曲げ箇所Ｐ２ａに内容物Ｂを内包した封筒用紙Ｐ２は、封筒形成部８５において、主折りローラ８７、導入ローラ８９及び最終折りローラ９５によって、折り曲げ箇所Ｐ２ｂで折り曲げられる。これにより、内部に内容物Ｂを封入した封筒Ｅが形成される。形成された封筒Ｅは、封筒形成部８５の押付け板金動作部９６と加水機構部９９（請求項中の加水部に相当）により、封筒用紙Ｐ２の水糊が塗工されている再湿糊部Ｐ２１（図４参照）に水を塗布されながら封緘されて、封筒搬送路４９に搬送される。
【００２３】
封筒搬送路４９は、筐体４１の上部の封書排出部９２（請求項中の排出部に相当）まで延びている。封筒搬送路４９は、不図示の搬送ローラ対を用いて、封筒Ｅを封書排出部９２に搬送する。
【００２４】
封筒搬送路４９の途中には、封緘部８６が設けられている。封緘部８６は、封筒形成部８５から送り出された封筒Ｅを封緘するものである。封緘部８６は、封筒Ｅの開口した両端部を挟持して押圧する封緘ローラ対８８を備えている。封緘ローラ対８８は、不図示のモータの駆動により回転可能である。封緘ローラ対８８により押圧された封筒Ｅの両端部は、封筒用紙Ｐ２の感圧接着剤部１１９，１２１や再湿糊部Ｐ２１（図４参照）の接着作用によって封緘される。したがって、封書排出部９２には封緘された封書Ｍが排出される。
【００２５】
＜押付け板金動作部の構成＞
押付け板金動作部９６は、図３に示すように、搬送経路のガイド板９１を介し加水機構部９９に対して反対側の対向する位置に設けられ、糊付けモータＭ２の回転によって偏心した回転軸９７ａを有する押付け板金上下カム９７を回転させて図示しないスプリングやバネ等によって押付け板金上下カム９７側に付勢されている押付け板金９８を加水機構部９９の方へ進退動（上下動）させる。
【００２６】
＜加水機構部の構成＞
加水機構部９９は、水２２２が貯留された水貯留容器２２１を備えており、水貯留容器２２１に貯留した水２２２内には水塗布部材の一例として、連続多孔質構造に形成された水塗布パッド２２３が浸漬されている。尚、水塗布パッド２２３は、フェルト以外でスポンジや不織布などを用いても良い。
【００２７】
水塗布パッド（水塗布部材）２２３は、屈曲した中間部を中心に揺動可能に構成されている。そして、揺動範囲の一端において、封筒用紙Ｐ２の再湿糊部Ｐ２１（図４参照）への水塗布部位である屈曲した中間部よりも上方の一端部（以下、上端部と記す）側が、再湿糊部Ｐ２１に接触可能となり、揺動範囲の他端において、上端部とは反対側の下方の他端部（以下、下端部と記す）が、水貯留容器２２１内の水２２２に浸漬される。
【００２８】
＜封筒用紙の構成＞
図４に示すように、封筒用紙Ｐ２は、封入封緘システム１によって内容物Ｂを封入した封書Ｍを作製する際に用いられるものであって、矩形の第１構成紙１０７を備えている。また、第１構成紙１０７には、矩形の第２構成紙１０９が第１折り部１１１（上述した折り曲げ箇所Ｐ２ｂ）を介して封筒展開方向（封筒搬送方向）ＥＤに沿って連設されており、この第２構成紙１０９には、矩形の第３構成紙１１３が第２折り部１１５（上述した折り曲げ箇所Ｐ２ａ）を介して封筒展開方向ＥＤに沿って連設されている。換言すれば、３個の構成紙１０７，１０９，１１３が２個の折り部１１１，１１５を介して封筒展開方向ＥＤに沿って連設されている。
【００２９】
そして、第１構成紙１０７は、封筒展開方向ＥＤの一端側に、開閉口としてのフラップ部１１７を有している。更に、各構成紙１０７，１０９，１１３の封筒内側面及び封筒外側面は、インクジェット方式の印刷部９によって文書、図形等が印刷されるようになっており、第２折り部１１５が前折り部７３により折られ、第１折り部１１１が封筒形成部８５により折られることによって、封筒用紙Ｐ２が折り畳まれるようになっている。
【００３０】
各構成紙１０７，１０９，１１３の封筒内側面における封筒展開方向に直交する方向（用紙短辺方向）ＳＤの両側縁には、感圧接着剤（圧着糊）を塗工した感圧接着剤部１１９，１２１が封筒展開方向ＥＤに沿って連続してそれぞれ形成されている。なお、各感圧接着剤部１１９，１２１が封筒展開方向ＥＤに沿って形成されていれば、不連続であっても構わない。
【００３１】
第３構成紙１１３の封筒外側面の一部であって第２折り部１１５の折り曲げによってフラップ部１１７と接触する部位には、フラップ部１１７を閉じるための水糊等の再湿糊を塗工した再湿糊部Ｐ２１が直交する方向ＳＤに沿って形成されており、再湿糊部Ｐ２１は、一対の感圧接着剤部１１９，１２１の先端に挟まれている。ここで、水糊は、上述したように、封筒形成部８５による封筒用紙Ｐ２の折り畳み中に加水機構部９９によって水が塗布されることにより接着力を発揮するようになっている。
【００３２】
また、第２折り部１１５が前折り部７３により折られ、第１折り部１１１が封筒形成部８５により折られることによって、封筒用紙Ｐ２が折り畳まれる。
【００３３】
上述した構成の封筒用紙Ｐ２が、内容物Ｂを内包して押付け板金動作部９６に搬送されて、紙検知センサ９４により封筒用紙Ｐ２が検出されると、糊付けモータＭ２が動作し押付け板金９８が封筒用紙Ｐ２を押圧して再湿糊部Ｐ２１を水塗布パッド２２３に押圧させる。これにより、再湿糊部Ｐ２１に水が塗布され、その状態で封筒用紙Ｐ２及び内容物用紙Ｐ１が、図１に示すように、導入ローラ８９及び最終折りローラ９５によって、封書排出部９２（図１や図２参照）に向けて排出される。
【００３４】
そして、再湿糊部Ｐ２１が封筒用紙Ｐ２の外側から封緘部８６の封緘ローラ対８８により挟持、押圧されることで、感圧接着剤部１１９，１２１や再湿糊部Ｐ２１（図４参照）の接着作用によって封緘され、封筒Ｅとされる。
【００３５】
＜未封緘検出ユニットの構成＞
封緘部８６を過ぎて封書排出部９２に至る前の封筒搬送路４９の経路上には、未封緘検出ユニット９０（請求項中の未封緘検出手段に相当）が設けられている。
【００３６】
未封緘検出ユニット９０は、図５に示すように、封緘ローラ対８８と、封書排出部９２の直前に設けた搬送ローラ対９０ａとの間に設けられ、封筒搬送路４９の上方に配置された枢軸９０ｂを中心に揺動可能なアーム９０ｃと、アーム９０ｃの長辺９０ｄ側の揺動軌跡上に配置されたフォトインタラプタ等の透過型センサによる未封緘センサ９０ｅとを有している。
【００３７】
アーム９０ｃの短辺９０ｆ側は、通常は枢軸９０ｂよりも封筒搬送路４９側に延出しており、封筒搬送路４９上を搬送されている封筒Ｅの、封筒用紙Ｐ２の第３構成紙１１３が再湿糊部Ｐ２１によりフラップ部１１７（以上、図４参照）に糊付けされて、きちんと封緘されていれば、短辺９０ｆの先端に封筒Ｅが触れず、アーム９０ｃは揺動しない。
【００３８】
一方、封筒搬送路４９上を搬送されている封筒Ｅの、封筒用紙Ｐ２の第３構成紙１１３が再湿糊部Ｐ２１によりフラップ部１１７（以上、図４参照）に糊付けされていない未封緘の状態であると、短辺９０ｆの先端に第３構成紙１１３が触れてアーム９０ｃが揺動する。この揺動は、アーム９０ｃの長辺９０ｄが未封緘センサ９０ｅの検出光軸を遮ることで検出される。
【００３９】
上述した構成による封入封緘装置５の動作は、図１に示すように筐体４１内に収容した封入封緘コントローラ４０１（請求項中の制御手段に相当）によって制御される。以下、封入封緘装置５の制御系の構成について、図６のブロック図を参照して説明する。
【００４０】
図６に示すように、封入封緘装置５の装置筐体４１内の適宜位置には、封入封緘コントローラ４０１が設けられている。この封入封緘コントローラ４０１は、封入封緘に関する制御プログラム等を記憶するプログラムＲＯＭ４０１ａと、操作パネル部３９や画像形成コントローラ３７からの封筒用紙Ｐ２の糊の厚さや再湿糊部の幅等の用紙情報や内容物用紙Ｐ１のサイズや枚数、封筒用紙Ｐ２のサイズ等の封入封緘処理を実行する上で必要な情報を記憶するＲＡＭ４０１ｂと、封入封緘に関する制御プログラムを実行するＣＰＵ４０１ｃとを備えている。
【００４１】
この封入封緘コントローラ４０１には、上述した操作パネル部３９や、画像形成コントローラ３７、整合部５１、内容物形成部５５、搬送モータＭ１や駆動ローラ７４ａ，７６ａを含む前折り部７３、紙検知センサ９４や押付け板金動作部９６（糊付けモータＭ２や押付け板金上下カム９７および押付け板金９８を含む）、加水機構部９９（水貯留容器２２１および水塗布パッド２２３を含む）等が接続されており、操作パネル部３９や画像形成コントローラ３７からの封筒用紙Ｐ２の封入封緘処理を実行する上で必要な情報に基づいて、プログラムＲＯＭ４０１ａに記憶された制御プログラムを実行することにより、封入封緘処理を実行する。
【００４２】
また、封入封緘コントローラ４０１には、上述した未封緘検出ユニット９０の未封緘センサ９０ｅが接続されている。
【００４３】
＜封入封緘装置の動作＞
次に、封入封緘コントローラ４０１の制御に基づいた排紙動作処理を含む一連の処理の手順を、図７のフローチャートを参照して説明する。
【００４４】
まず、封入封緘装置５の封入封緘コントローラ４０１は、画像形成装置３の電源投入に連動した封入封緘装置５の電源投入に伴い、初期動作を行う（ステップＳ１）。初期動作では、加水機構部９９の水塗布パッド２２３を他端側に揺動させて、水塗布パッド２２３の下端部を水貯留容器２２１の水２２２内に浸漬させる水含浸動作等を行わせる。
【００４５】
続いて、封入封緘コントローラ４０１は、操作パネル部３９のユーザ設定や、画像形成コントローラ３７から送信されてきた内容物用紙Ｐ１や封筒用紙Ｐ２の情報に基づいて、整合部５１、内容物形成部５５、前折り部７３及び封筒形成部８５を動作させて、内容物用紙Ｐ１を封筒用紙Ｐ２に封入した封筒Ｅの封緘と封書排出部９２への排出動作を行わせる（ステップＳ３）。
【００４６】
そして、封入封緘コントローラ４０１は、未封緘検出ユニット９０の未封緘センサ９０ｅが、封筒搬送路４９上で未封緘の封筒Ｅを検出したか否かを確認する（ステップＳ５）。未封緘の封筒Ｅを検出していない場合は（ステップＳ５でＮＯ）、封入封緘コントローラ４０１は、設定数の封筒Ｅが封書排出部９２に排出されるまで（ステップＳ１７でＮＯ）、ステップＳ３及びステップＳ５の手順を繰り返す。
【００４７】
一方、未封緘の封筒Ｅを検出した場合は（ステップＳ５でＹＥＳ）、封入封緘コントローラ４０１は、封筒Ｅの封緘と封書排出部９２への排出動作を中断させ（ステップＳ７）、初期動作の際と同じように、水塗布パッド２２３の下端部を水貯留容器２２１の水２２２内に浸漬させる水含浸動作を行う（ステップＳ９）。
【００４８】
そして、封入封緘コントローラ４０１は、水含浸動作が終了するまで（ステップＳ１３でＮＯ）、画像形成装置３の操作パネル部３９に「しばらくお待ち下さい」等の中断メッセージを表示させる（ステップＳ１１）。このとき、封入封緘コントローラ４０１は、画像形成装置３の給紙トレイ１７，２５に内容物用紙Ｐ１や封筒用紙Ｐ２が正しい方向にセットされていることの確認を促すメッセージ（図示せず）を、操作パネル部３９に一緒に表示させてもよい。
【００４９】
また、水含浸動作が終了した場合は（ステップＳ１３でＹＥＳ）、封入封緘コントローラ４０１は、封筒Ｅの封緘と封書排出部９２への排出動作を再開させて（ステップＳ１５）、設定数の封筒Ｅが封書排出部９２に排出されるまで（ステップＳ１７でＮＯ）、ステップＳ３及びステップＳ５の手順を繰り返す。設定数の封筒Ｅが封書排出部９２に排出されたならば（ステップＳ１７でＹＥＳ）、一連の処理を終了する。
【００５０】
このように、本実施形態の封入封緘装置５によれば、封筒形成部８５の押付け板金動作部９６および加水機構部９９で水塗布パッド２２３により封筒用紙Ｐ２の再湿糊部Ｐ２１に水を塗布し、封緘部８６を過ぎた封筒用紙Ｐ２の再湿糊部Ｐ２１を封緘部８６の封緘ローラ対８８で挟持、圧着して、封書排出部９２に排出する前に、封筒搬送路４９の経路上の未封緘検出ユニット９０で封筒用紙Ｐ２の未封緘状態を検出した場合に、封筒用紙Ｐ２の搬送を中断し、加水機構部９９の水塗布パッド２２３に水貯留容器２２１内の水２２２を含浸させる水含浸動作を行わせるようにした。
【００５１】
このため、水塗布パッド２２３が封筒用紙Ｐ２の再湿糊部Ｐ２１に精度よく接触するように加水機構部９９を構成しても、水塗布パッド２２３に水貯留容器２２１内の水２２２が十分に含浸されていないために、封筒用紙Ｐ２が未封緘のまま封書排出部９２に排出され続けるのを防ぎ、封筒Ｅの封緘をより一層確実なものにすることができる。
【００５２】
なお、未封緘検出ユニット９０が未封緘状態の封筒用紙Ｐ２を検出して水塗布パッド２２３への水含浸動作を加水機構部９９に行わせている間に、封筒用紙Ｐ２の封緘及び排出を中断するための構成は、省略してもよい。しかしこの構成を設ければ、水塗布パッド２２３が再湿糊部Ｐ２１に対して接着機能を発揮させて封筒用紙Ｐ２を封緘させるのに充分な水を塗布できない状態で封筒用紙Ｐ２が搬送され続けて、未封緘状態の封筒用紙Ｐ２が封書排出部９２に排出され続ける無駄を防ぐことができるので、有利である。
【００５３】
なお、本実施形態では、封入封緘装置５と組み合わせて使用する画像形成装置３が、ワンパスのライン型インクジェットヘッドを有するインクジェット方式の印刷部９を有するものである場合を例に取って説明した。しかし、本発明は、インクジェット以外の方式による画像形成装置と組み合わせて使用する封入封緘装置についても適用可能である。また、画像形成装置と組み合わせず単体で使用する封入封緘装置についてももちろん適用可能である。
【符号の説明】
【００５４】
１  封入封緘システム
３  画像形成装置
５  封入封緘装置
７，４１  筐体
９  印刷部
１１Ａ，１１Ｂ，１１Ｃ，１１Ｄ  インクヘッド
１３  印刷搬送路
１４  搬送ベルト
１５  内容物用紙給紙部
１７，２５  給紙トレイ
１９，２７  給紙ローラ
２１，２９  給紙搬送路
２１ａ  分岐部分
２３  封筒用紙給紙部
３０  レジストローラ
３１  排紙トレイ
３３  スイッチバック搬送路
３５  連絡搬送路
３７  画像形成コントローラ
３９  操作パネル部
４３  導入搬送路
４５  内容物用紙搬送路
４７  封筒用紙搬送路
４９  封筒搬送路
５１  整合部
５５  内容物形成部
７２  搬送ローラ
７３  前折り部
７４，７６  搬送ローラ
７４ａ，７６ａ  駆動ローラ
７４ｂ，７６ｂ  従動ローラ
８５  封筒形成部
８６  封緘部
８７  主折りローラ
８８  封緘ローラ対
８９  導入ローラ
９０  未封緘検出ユニット
９０ａ  搬送ローラ対
９０ｂ  枢軸
９０ｃ  アーム
９０ｄ  長辺
９０ｅ  未封緘センサ
９０ｆ  短辺
９１  ガイド板
９２  封書排出部
９４  紙検知センサ
９５  最終折りローラ
９６  板金動作部
９７  板金上下カム
９７ａ  回転軸
９８  押付け板金
９９  加水機構部
１０７  第１構成紙
１０９  第２構成紙
１１１  第１折り部
１１３  第３構成紙
１１５  第２折り部
１１７  フラップ部
１１９，１２１  感圧接着剤部
２２１  水貯留容器
２２２  水
２２３  水塗布パッド
４０１  封入封緘コントローラ
４０１ａ  ＲＯＭ
４０１ｂ  ＲＡＭ
４０１ｃ  ＣＰＵ
Ｂ  内容物
Ｅ  封筒
ＥＤ  封筒展開方向
Ｍ  封書
Ｍ１  搬送モータ
Ｍ２  糊付けモータ
Ｐ１  内容物用紙
Ｐ１ａ，Ｐ１ｂ，Ｐ２ａ，Ｐ２ｂ  折り曲げ箇所
Ｐ２  封筒用紙
Ｐ２１  再湿糊部
ＳＤ  用紙短辺方向
【図１】
2015074162.tif 000003
【図２】
2015074162.tif 000004
【図３】
2015074162.tif 000005
【図４】
2015074162.tif 000006
【図５】
2015074162.tif 000007
【図６】
2015074162.tif 000008
【図７】
2015074162.tif 000009